(57)【要約】【課題】  それぞれの特定の組織を観察しやすい３次元画像を表示することができる乳房撮影装置、画像処理装置及び画像処理方法を提供する。【解決手段】  放射線を発生させる放射線発生部から照射された放射線を検出する放射線検出部を対向させた状態で回転させることが可能な乳房撮影装置であって、前記放射線検出部から出力される投影画像から再構成されるボリュームデータから、視線方向の画素値の加算値に基づいて総和投影像を生成する総和投影像生成部７０１と、視線方向の最大の画素値に基づいて最大値投影像とを生成する最大値投影像生成部７０５と、総和投影像と最大値投影像を合成する合成部１２２８とを備える。【選択図】  図６
2019051238.tif 000002
【特許請求の範囲】
【請求項１】
放射線を発生させる放射線発生部から照射された放射線を検出する放射線検出部を対向させた状態で回転させることが可能な乳房撮影装置であって、
前記放射線検出部から出力される投影画像から再構成されるボリュームデータから、視線方向の画素値の加算値に基づいて総和投影像を生成する総和投影像生成部と、前記視線方向の最大の画素値に基づいて最大値投影像とを生成する最大値投影像生成部と、前記総和投影像と前記最大値投影像を合成する合成部とを備えることを特徴とする乳房撮影装置。
【請求項２】
前記総和投影像生成部に対して前記総和投影像に関するパラメータを設定する第一パラメータ設定部と、前記最大値投影像生成部に対して前記最大値投影像に関するパラメータを設定する第二パラメータ設定部とを備えることを特徴とする請求項１に記載の乳房撮影装置。
【請求項３】
前記第一パラメータ設定部は、前記総和投影像に腫瘤組織が描出されるように前記総和投影像に関するパラメータを設定し、前記第二パラメータ設定部は、前記最大値投影像に石灰化組織が描出されるように前記最大値投影像に関するパラメータを設定することを特徴とする請求項２に記載の乳房撮影装置。
【請求項４】
前記第一パラメータ設定部は、総和投影法によって投影するボリュームデータの範囲を設定することを特徴とする請求項２に記載の乳房撮影装置。
【請求項５】
前記第二パラメータ設定部は、最大値投影法によって投影するボリュームデータの範囲を設定することを特徴とする請求項２に記載の乳房撮影装置。
【請求項６】
前記第一パラメータ設定部と前記第二パラメータ設定部は、総和投影法によって投影するボリュームデータの範囲と最大値投影法によって投影するボリュームデータの範囲とを異なるように設定することを特徴とする請求項２に記載の乳房撮影装置。
【請求項７】
前記第一パラメータ設定部と前記第二パラメータ設定部は、総和投影法によって投影するボリュームデータの範囲を最大値投影法によって投影するボリュームデータの範囲よりも広く設定することを特徴とする請求項６に記載の乳房撮影装置。
【請求項８】
前記第二パラメータ設定部は、前記ボリュームデータから石灰化組織を最大値投影像に描出するための画素値に関する閾値を設定することを特徴とする請求項２に記載の乳房撮影装置。
【請求項９】
前記最大値投影像生成部は、視線方向に対応するボリュームデータの最大の画素値であり、且つ前記閾値以上の画素値を選択し、前記最大値投影像を生成することを特徴とする請求項８に記載の乳房撮影装置。
【請求項１０】
前記総和投影像の視線方向と前記最大値投影像の視線方向は、同一方向となるように設定されることを特徴とする請求項１に記載の乳房撮影装置。
【請求項１１】
前記総和投影像に対して前記最大値投影像が重畳されることを特徴とする請求項１に記載の乳房撮影装置。
【請求項１２】
ボリュームデータから、視線方向の画素値の加算値に基づいて総和投影像を生成する総和投影像生成部と、前記視線方向の最大の画素値に基づいて最大値投影像とを生成する最大値投影像生成部と、前記総和投影像と前記最大値投影像を合成する合成部とを備えることを特徴とする画像処理装置。
【請求項１３】
ボリュームデータから、視線方向の画素値の加算値に基づいて総和投影像を生成するステップと、前記視線方向の最大の画素値に基づいて最大値投影像とを生成するステップと、前記総和投影像と前記最大値投影像を合成するステップとを含む画像処理方法。
【発明の詳細な説明】
【技術分野】
【０００１】
本発明は、乳房撮影により取得される画像から特定の組織を抽出して表示する乳房撮影装置、画像処理装置及び画像処理方法に関する。
【背景技術】
【０００２】
放射線を発生させる放射線発生部と放射線を検出する放射線検出部を回転部で回転させて乳房を撮影する乳房撮影装置がある。乳房を挿入する開口を通る回転軸を挟んで対向配置された放射線発生部と放射線検出部とが、その回転軸の周りに回転するように構成されたＣＴ装置が開示されている（例えば、特許文献１）。トモシンセシス装置で取得された３次元画像を用いて複数の処理を異なるスライス厚で処理したのち合成処理を行う技術が開示されている（例えば、特許文献２）。
【先行技術文献】
【特許文献】
【０００３】
【特許文献１】特開２０１０−６８９２９号公報
【特許文献２】特開２０１４−６８７５２号公報
【発明の概要】
【発明が解決しようとする課題】
【０００４】
上記特許文献１、２に示される３次元画像には、特定の組織（例えば、腫瘤組織、微小の石灰化組織）が含まれる場合がある。しかしながら、それぞれの組織を観察しやすくなるように３次元画像を表示していない。
【０００５】
本発明では、それぞれの特定の組織を観察しやすい３次元画像を表示することができる乳房撮影装置、画像処理装置及び画像処理方法を提供することを目的とする。
【課題を解決するための手段】
【０００６】
本発明の目的を達成するため、放射線を発生させる放射線発生部から照射された放射線を検出する放射線検出部を対向させた状態で回転させることが可能な乳房撮影装置であって、前記放射線検出部から出力される投影画像から再構成されるボリュームデータから、視線方向の画素値の加算値に基づいて総和投影像を生成する総和投影像生成部と、前記視線方向の最大の画素値に基づいて最大値投影像とを生成する最大値投影像生成部と、前記総和投影像と前記最大値投影像を合成する合成部とを備える。
【発明の効果】
【０００７】
本発明によれば、特定の組織を観察しやすい３次元画像を表示することができる。
【図面の簡単な説明】
【０００８】
【図１】本発明の乳房撮影装置の外観を示す図。
【図２】ＣＴ撮影側から見た本発明の乳房撮影装置の外観を示す図。
【図３】本発明の乳房撮影装置の断面図。
【図４】マンモ撮影側から見た本発明の乳房撮影装置の外観を示す図。
【図５】本発明の乳房撮影装置の構成を示す図。
【図６】本発明の画像処理部の構成を示す図。
【図７】本発明の画像生成部の構成を示す図。
【図８】本発明のウィンドウ幅とウィンドウレベルを設定する設定画面を示す図。
【図９】本発明の閾値を設定する設定画面を示す図。
【図１０】本発明の表示部の一表示形態を示す図。
【図１１】本発明の表示部の一表示形態を示す図。
【図１２】本発明の表示部の一表示形態を示す図。
【図１３】本発明の表示部の一表示形態を示す図。
【発明を実施するための形態】
【０００９】
図１は、乳房撮影装置１００の外観を示す図である。乳房撮影装置１００は、マンモ撮影とＣＴ撮影を行うことができる。マンモ撮影とＣＴ撮影を行う際、被検者は立位である。立位とは、被検者は、床面に両足が置かれ、床面に立った状態である。
【００１０】
乳房撮影装置１００は、放射線を発生する放射線発生部１０と、放射線発生部１０から照射された放射線を検出する放射線検出部１２と、放射線発生部１０と放射線検出部１２を対向させた状態で回転させることが可能である。撮影部１０２は、主に放射線発生部１０と放射線検出部１２とからなる。
【００１１】
そして、乳房撮影装置１００における第１の側から被検者の撮影対象部位（乳房）を圧迫板１４と放射線検出部１２との間に挟んだ状態で撮影する。つまり、乳房撮影装置１００は、マンモ撮影モードを有している。そして、乳房撮影装置１００における第１の側と反対の第２の側から被検者の撮影対象部位（乳房）を放射線発生部１０と放射線検出部１２との間に挿入させ乳房カップに乗せた状態で放射線発生部１０と放射線検出部１２を回転させて撮影する。つまり、乳房撮影装置１００は、ＣＴ撮影モードを有している。
【００１２】
マンモ撮影を行う場合、乳房撮影装置１００における第１の側（図中右側）から被検者の撮影対象部位（乳房）を圧迫板１４と放射線検出部１２との間に挟んだ状態で撮影する。圧迫板１４は、透明な材質であり、放射線を透過する材質である。具体的には、圧迫板１４を上下動させることにより、被検者の乳房を圧迫板１４と放射線検出部１２との間に挟むことができる。圧迫板１４と放射線検出部１２との間に被検者の乳房を挟んだ状態で、放射線発生部１０によって放射線を発生させる。放射線検出部１２が被検者の乳房を透過した放射線を検出することにより、被検者の乳房を撮影することができる。乳房撮影装置１００は、撮影された放射線データに基づいてマンモ画像を生成することができる。
【００１３】
ＣＴ撮影を行う場合、乳房撮影装置１００における第１の側と反対の第２の側（図中左側）から被検者の撮影対象部位（乳房）を放射線発生部１０と放射線検出部１２との間に挿入する。そして、この状態で放射線発生部１０と放射線検出部１２を回転フレーム３８で回転させて撮影する。具体的には、乳房撮影装置１００のガントリ３０には、被検者の乳房を挿入するための開口２０が設置されている。被検者の乳房を開口２０に挿入させ乳房カップに乗せた状態で放射線発生部１０と放射線検出部１２を回転フレーム３８で回転させて撮影する。放射線発生部１０と放射線検出部１２を回転フレーム３８で回転させている間、放射線発生部１０によって放射線を発生させている。放射線検出部１２は被検者の乳房を透過した放射線を検出することにより、被検者の乳房を撮影することができる。乳房撮影装置１００は、撮影された放射線データを再構成することにより、ＣＴ画像を生成することができる。
【００１４】
乳房撮影装置１００における第１の側は、マンモ撮影側であり、乳房撮影装置１００における第２の側は、ＣＴ撮影側である。第１の側（マンモ撮影側）と第２の側（ＣＴ撮影側）を水平に結んだ線は、回転フレーム３８の回転軸と略平行になる。また、第１の側（マンモ撮影側）と第２の側（ＣＴ撮影側）を水平に結んだ線は、略平板状のガントリ３０の平面、若しくはフロントカバー２６の平面と直交する。
【００１５】
乳房撮影装置１００における第１の側（マンモ撮影側）と第２の側（ＣＴ撮影側）は、乳房撮影装置１００の略平板状のガントリ３０、フロントカバー２６、撮影部１０２によって、分割される領域である。
【００１６】
ここで、図２〜図４を用いて、乳房撮影装置１００を具体的に説明する。図２は、ＣＴ撮影側から見た乳房撮影装置１００の外観を示す図である。図３は、乳房撮影装置１００の断面図である。乳房撮影装置１００の断面図は、図２の乳房撮影装置１００の鉛直方向に伸びる中心線（一点鎖線）による断面図である。図４は、マンモ撮影側から見た乳房撮影装置１００の外観を示す図である。
【００１７】
図２に示すように、ＣＴ撮影側のガントリ３０には、ＣＴ撮影時に回転する放射線発生部１０と放射線検出部１２から被検者を保護するフロントカバー２６が設置されている。フロントカバー２６は、ＣＴ撮影を行う被検者の乳房を挿入するための開口２０を有し、開口２０から乳房カップ３４が境目の無いよう連続して設置されている。
【００１８】
図４に示すように、マンモ撮影側のガントリ３０には、マンモ撮影を行う被検者の乳房を圧迫する圧迫板１４が設置されている。また、マンモ撮影側のガントリ３０には、被検者を不要な被曝から保護するための保護板４が設置されている。
【００１９】
図５は、乳房撮影装置１００の構成図を示すものである。乳房撮影装置１００は、放射線発生部１０と放射線検出部１２を対向させた状態で放射線発生部１０と放射線検出部１２を回転させる回転駆動部１１２を備えている。また、乳房撮影装置１００は、圧迫板１４を上下動させる圧迫板駆動部１１４と、支持脚部４０に対してガントリ３０を上下動させる上下駆動部１１６とを備えている。
【００２０】
乳房撮影装置１００は、放射線発生部１０と、放射線検出部１２と、回転駆動部１１２と、圧迫板駆動部１１４と、上下駆動部１１６とをそれぞれ制御する制御部１１０を備えている。また、乳房撮影装置１００は、制御部１１０に対して指示を伝達する操作部５０、５２と操作卓９０とを備えている。ガントリ３０には、乳房撮影装置１００を操作する操作部５０が設置され、放射線検出部１２を支持する支持台２には、操作部５０と同じ機能を持つ操作部５２が設置される。また、操作卓９０は撮影室外に設置されている。
【００２１】
また、乳房撮影装置１００は、投影画像、断層画像、複数の断層画像からなる３次元画像などの画像を記憶する記憶部１２０と、複数の投影画像を再構成して取得されるボリュームデータから２次元画像である断層画像と３次元画像を生成する画像処理部１２２と、断層画像や３次元画像を表示する表示部１２４とを備えている。放射線検出部１２から取得される投影画像は、記憶部１２０に記憶される。そして、画像処理部１２２は、複数の投影画像を読み込んで再構成を行い、ボリュームデータに変換する。そして、記憶部１２０は、画像処理部１２２によって再構成されたボリュームデータを記憶する。表示部１２４は、操作者に指示により記憶部１２０よりボリュームデータを読み出し、断層画像を表示する。表示部１２４は、３次元画像を表示することもできる。
【００２２】
放射線発生部１０は、図示はしないが、主に電子を発生する電子放出源、ターゲットを備えている。電子放出源で発生した電子は、陰極と陽極との間の電位差により、ターゲット側に放出される。ターゲットは電子の衝突により放射線を発生する部材である。ターゲットから放射された放射線は、コーンビーム形状に成形されて外部に向けて照射される。制御部１１０は、放射線発生部１０の撮影条件を制御することができる。
【００２３】
放射線検出部１２は、被検者を透過した放射線を光電変換素子によって検出し、電気信号として出力するものである。例えば、放射線検出部１２は、被検者を透過した放射線を検出する変換パネル、蓄電部、放射線から電気信号に変換された情報を出力するためのＩ／Ｆ（インタフェース）等よりなる。Ｉ／Ｆ（インタフェース）によって、制御部１１０に電気信号を出力する。
【００２４】
図２〜図４に示すように、ガントリ３０は、放射線発生部１０と放射線検出部１２を対向させた状態で回転させるためのリング状の回転フレーム３８と、回転フレーム３８を回転可能に支持するリング状の固定フレーム３０ａとを有している。また、ガントリ３０は、固定フレーム３０ａに連結された長円筒状の長円筒部３０ｂを有している。回転フレーム３８と固定フレーム３０ａは、放射線発生部１０と放射線検出部１２を回転する回転部と称することもできる。固定フレーム３０ａと長円筒部３０ｂは一体形成されている。固定フレーム３０ａの方が長円筒部３０ｂよりも上部に位置している。長円筒部３０ｂは、ガントリ３０を床面に対して支持する支持脚部４０と連結されている。
【００２５】
ガントリ３０は、被検者が立位撮影を行うことができるように、鉛直方向に立設されている。放射線発生部１０と放射線検出部１２を回転する回転部（ガントリ３０における回転フレーム３８）の回転軸は水平方向である。
【００２６】
長円筒部３０ｂは、支持脚部４０における長円筒部４２の外周を覆っている。つまり、支持脚部４０における長円筒部４２をガントリ３０における長円筒部３０ｂの内部に組み入れるようになっており、支持脚部４０における長円筒部４２とガントリ３０における長円筒部３０ｂは入れ子になっている。
【００２７】
乳房撮影装置１００は、支持脚部４０に対して長円筒部３０ｂの上下動を行う上下駆動部１１６を備えて、被検者の体型に合わせて開口２０の高さを調整できる。
【００２８】
乳房撮影装置１００は、放射線を発生させる放射線発生部１０と、放射線発生部１０から照射された放射線を検出する放射線検出部１２とを備え、放射線発生部１０と放射線検出部１２を対向させた状態で回転させることが可能である。
【００２９】
放射線発生部１０と放射線検出部１２は、ガントリ３０の固定フレーム３０ａに対して回転する回転フレーム３８に設置されている。ここでは、図３に示すように、乳房撮影装置１００は、ＣＴ撮影用の放射線発生部１０ａ及び放射線検出部１２ａと、マンモ撮影用の放射線発生部１０ｂ及び放射線検出部１２ｂとをそれぞれ備えている。ガントリ３０は、ＣＴ撮影用の放射線発生部１０ａ及び放射線検出部１２ａと、マンモ撮影用の放射線発生部１０ｂ及び放射線検出部１２ｂとをそれぞれ備えている。つまり、乳房撮影装置１００は、ＣＴ撮影用とマンモ撮影用の２組の放射線発生部及び放射線検出部を備えている。
【００３０】
ガントリ３０は、ＣＴ撮影用の放射線発生部１０ａ及び放射線検出部１２ａを対向させ、マンモ撮影用の放射線発生部１０ｂ及び放射線検出部１２ｂを対向させた状態で回転させるためのリング状の回転フレーム３８を有している。
【００３１】
具体的には、ＣＴ撮影用として、回転フレーム３８には放射線発生部１０ａと放射線検出部１２ａが設置されている。放射線検出部１２ａは、放射線検出部１２ａを支持する支持台２を介して回転フレーム３８に設置されている。
【００３２】
マンモ撮影用として、回転フレーム３８には放射線発生部１０ｂと放射線検出部１２ｂが設置されている。放射線検出部１２ｂは支持台２を介して回転フレーム３８に設置されている。
【００３３】
回転フレーム３８はベアリング構造を有した軸受けを介して、ガントリ３０の固定フレーム３０ａに連結されている。固定フレーム３０ａは、不動の状態であり、静止したフレームである。回転フレーム３８は、回転駆動部１１２によって回転することができる。回転駆動部１１２は、回転フレーム３８の回転軸が水平方向になるようにガントリ３０内部に設置されている。
【００３４】
また、支持台２には、圧迫板１４が上下動可能に設置されている。また、支持台２には、圧迫板１４を上下させる回転つまみ５４が設置されている。回転つまみ５４を回転して圧迫板１４を降下させることにより、被検者の乳房を圧迫板１４と放射線検出部１２ｂで挟み込むことができる。
【００３５】
このように、支持台２は回転フレーム３８に設置され、支持台２は放射線検出部１２ａと放射線検出部１２ｂと圧迫板１４を支持する。回転駆動部１１２によって回転フレーム３８を支持台２とともに回転させることにより、放射線検出部１２ａと放射線検出部１２ｂを回転させることができる。また、回転駆動部１１２によって回転フレーム３８を回転させることにより、放射線発生部１０ａと放射線発生部１０ｂを回転させることができる。
【００３６】
図３に示すように、放射線発生部１０ａと放射線発生部１０ｂは、ほぼ同じ高さに設置されている。放射線検出部１２ａは、放射線検出部１２ｂよりも高い位置に設置されている。
【００３７】
言い換えれば、回転部（回転フレーム３８）の回転軸に対して、放射線発生部１０ａと放射線発生部１０ｂが同じ位置（同じ距離）となるように、放射線発生部１０ａと放射線発生部１０ｂが設置されている。
【００３８】
また、回転部（回転フレーム３８）の回転軸に対して、放射線検出部１２ａよりも放射線検出部１２ｂの方が外側に位置するように、放射線検出部１２ａと放射線検出部１２ｂが設置されている。
【００３９】
ＣＴ撮影を行う際に用いる放射線発生部１０ａと放射線検出部１２ａの間の距離は、マンモ撮影を行う際に用いる放射線発生部１０ｂと放射線検出部１２ｂの間の距離よりも短い。
【００４０】
マンモ撮影を行う際、被検者の乳房が圧迫板１４と放射線検出部１２ｂで挟み込まれる。当該圧迫により、被検者の乳房が潰れて平板状になるため、放射線を照射する面積を増やしてＦＯＶ（Ｆｉｅｌｄ  ｏｆ  ｖｉｅｗ：照射野）を確保しなければならない。そのため、マンモ撮影を行う際に用いる放射線検出部１２ｂは、ＣＴ撮影を行う際に用いる放射線検出部１２ａよりも低い位置に設置されている。
【００４１】
照射野８は、マンモ撮影用の放射線発生部１０ｂによる照射野である。放射線発生部１０ｂからの照射野８が圧迫板１４を含むように、放射線発生部１０ｂと放射線検出部１２ｂが設置されている。照射野８は、放射線発生部１０ｂの焦点を頂点として広がる四角錐形状（コーンビーム形状）となっている。図３に示すように、照射野８の一側端（左側）は、鉛直方向となっており、照射野８の他側端（右側）は斜め方向になっている。被検者の乳房周囲（腋窩）を撮影するために、マンモ撮影を行う被検者側（左側）の照射野８の端部（照射野端部、照射野端面）が鉛直方向となるように、放射線発生部１０ｂの照射野８が設定されている。
【００４２】
一方、ＣＴ撮影を行う際、回転フレーム３８の大きさ、乳房撮影装置１００（ガントリ３０）全体の大きさがコンパクトになるように、放射線発生部１０ａと放射線検出部１２ａが設置されている。具体的には、放射線発生部１０ａと放射線検出部１２ａの間の距離をできるだけ短くなるように設置されている。乳房保持部３４の直下に放射線検出部１２ａが設置されている。回転フレーム３８によって放射線検出部１２ａを回転しても、放射線検出部１２ａが乳房保持部３４に接触しない位置に放射線検出部１２ａが設置されている。
【００４３】
照射野６は、ＣＴ撮影用の放射線発生部１０ａによる照射野である。ＣＴ撮影を行う被検者の乳房は乳房保持部３４上に保持されており、圧迫されていない。放射線発生部１０ａからの照射野６が乳房保持部３４の先端部を含むように、放射線発生部１０ａと放射線検出部１２ａが設置されている。
【００４４】
照射野６は、放射線発生部１０ａの焦点を頂点として広がる四角錐形状（コーンビーム形状）となっている。図３に示すように、照射野６の一側端（右側）は、鉛直方向となっており、照射野６の他側端（左側）は斜め方向になっている。被検者の乳房周囲（腋窩）を撮影するために、ＣＴ撮影を行う被検者側（右側）の照射野６の端部（照射野端部、照射野端面）が鉛直方向となるように設定されている。
【００４５】
このように、マンモ撮影を行う被検者側（左側）の照射野８の端部（照射野端部、照射野端面）が鉛直方向となるように設定され、ＣＴ撮影を行う被検者側（右側）の照射野６の端部（照射野端部、照射野端面）が鉛直方向となるように設定されている。乳がんでは、乳房周囲（腋窩）への転移が起こる可能性がある。被検者の乳房周囲（腋窩）を撮影することができるように、ＣＴ撮影用の放射線発生部１０ａの照射野６とマンモ撮影用の放射線発生部１０ｂの照射野８とがそれぞれ設定されている。
【００４６】
なお、ＣＴ撮影を行う際、ＦＯＶ（Ｆｉｅｌｄ  ｏｆ  ｖｉｅｗ：照射野）を確保するために、ＣＴ撮影用の放射線発生部１０ａをマンモ撮影用の放射線発生部１０ｂよりも高い位置に設置してもよい。ＣＴ撮影を行う際、放射線発生部１０ａは放射線を焦点から発生させながら、放射線発生部１０ａと放射線検出部１２ａの回転を行う。
【００４７】
以上、本発明の乳房撮影装置１００は、放射線を発生させる第１の放射線発生部１０ａと、放射線を発生させる第２の放射線発生部１０ｂとを備える。また、乳房撮影装置１００は、第１の放射線発生部１０ａから照射された放射線を検出する第１の放射線検出部１２ａと、第２の放射線発生部１０ｂから照射された放射線を検出する第２の放射線検出部１２ｂとを備える。
【００４８】
そして、乳房撮影装置１００における第１の側から被検者の撮影対象部位を圧迫板１４と第１の放射線検出部１２ａとの間に挟んだ状態で第１の放射線発生部１０ａと第１の放射線検出部１２ａを用いて撮影する。また、乳房撮影装置１００における第１の側と反対の第２の側から被検者の撮影対象部位を第２の放射線発生部１０ｂと第２の放射線検出部１２ｂとの間に挿入させた状態で第２の放射線発生部１０ｂと第２の放射線検出部１２ｂを回転させて撮影する。
【００４９】
このように、乳房撮影装置１００は、ＣＴ撮影用とマンモ撮影用の２組の放射線発生部及び放射線検出部を備えている。よって、ＣＴ撮影を行う被検者の乳房とマンモ撮影を行う被検者の乳房のそれぞれに適したＦＯＶ（Ｆｉｅｌｄ  ｏｆ  ｖｉｅｗ：照射野）を確保することができる。
【００５０】
乳房撮影装置１００は、回転フレーム３８を介して放射線発生部１０と放射線検出部１２を回転させる回転駆動部１１２を備えている。放射線発生部１０は、マンモ撮影用の放射線発生部１０ｂとＣＴ撮影用の放射線発生部１０ａを内部に有している。
【００５１】
図４は、乳房撮影装置１００でＣＣ（頭尾方向：Ｃａｒａｎｉｏ  Ｃａｕｄａｌ  ｖｉｅｗ）のマンモ撮影を行う形態を示している。放射線発生部１０ｂ、圧迫板１４、放射線検出部１２ｂが鉛直方向に並ぶように回転フレーム３８の位置が設定されている。
【００５２】
回転つまみ５４を回転させることにより、圧迫板１４を移動させ、圧迫板１４と放射線検出部１２ｂとの距離を調整することができる。圧迫板１４の移動により、被検者の乳房を圧迫することができる。図４に示すＣＣのマンモ撮影において、圧迫板１４と放射線検出部１２ｂとの間に配置された乳房は、圧迫板１４と放射線検出部１２ｂとの間で圧迫されて放射線撮影される。
【００５３】
回転駆動部１１２は、固定フレーム３０ａの内部に設置されている。回転駆動部１１２には、連結部材（例えば、ベルト）を介して回転フレーム３８が回転可能に接続されている。また、固定フレーム３０ａと回転フレーム３８の間隙にはベアリングが設定されている。回転駆動部１１２の駆動により、回転フレーム３８は固定フレーム３０ａに対して回転する。
【００５４】
乳房撮影装置１００は、ＣＴ撮影を行う際、放射線検出部１２は被検者の乳房を透過した放射線を検出することにより、被検者の乳房についてＣＴ撮影を行うことができる。
【００５５】
＜画像処理部＞
ここで、図６を用いて画像処理部１２２について説明する。図６は、画像処理部１２２の構成を示す図である。画像処理部１２２は、投影画像の補正を行う画像補正部１２２２と、複数の投影画像を再構成してボリュームデータを生成する再構成部１２２４と、ボリュームデータに基づいて、複数の種類の３次元画像を生成する画像生成部１２２６とを有している。また、複数の種類の３次元画像を合成する合成部１２２８とを有している。本実施例では、複数の種類の３次元画像は、主に総和投影像と最大値投影像として説明する。合成部１２２８は、総和投影像に最大値投影像を重畳する。
【００５６】
画像補正部１２２２は、被検者がいない状態で放射線発生部１０ａより放射線検出部１２ａに放射線を照射して各画素の信号に基づくゲイン補正画像を取得する。さらに、画像補正部１２２２は、放射線発生部１０ａより放射線を照射しない状態で放射線検出部１２ａの各画素の信号に基づくオフセット補正画像を取得する。なお、画像補正部１２２２は、被検者の撮影前にゲイン補正画像及びオフセット補正画像のどちらか一方、もしくは両方を取得できなかった場合、被検者を撮影した後に不足した画像を取得してもよい。画像補正部１２２２は、ゲイン補正画像とオフセット補正画像を用いて、被検者を撮影した投影画像の補正を行い、補正した投影画像を生成する。
【００５７】
画像補正部１２２２で補正された投影画像は、記憶部１２０に記憶される。そして、記憶部１２０に記憶された投影画像は、画像処理部１２２の再構成部１２２４に転送される。放射線検出部１２ａで取得した投影画像は、再構成部１２２４に直接転送されてもよい。
【００５８】
再構成部１２２４は、放射線検出部１２ａから出力される被検者の乳房周りの複数の投影画像を再構成してボリュームデータを取得する。複数の投影画像は、画像補正部１２２２によって補正された投影画像であってもよい。再構成を行う手法としてフィルタ補正逆投影法やそれをマルチスライスに対応したフェルドカンプ法、さらに逐次近似法が広く知られているが、本発明ではこれらの再構成手法に依存しない。再構成部１２２４によって再構成されたボリュームデータは記憶部１２０に記憶される。
【００５９】
＜画像生成部＞
画像生成部１２２６は、再構成部１２２４で再構成されたボリュームデータから３次元画像（複数の種類の画像）を生成する。画像生成部１２２６は、ボリュームデータの範囲（３次元領域）を操作卓９０で設定することにより、所望の範囲における３次元画像を生成することができる。操作者は、操作卓９０を介して、被検者の乳房の関心部位（例えば、乳腺）が表示されるようにボリュームデータの座標範囲を設定することにより、関心部位を含む３次元画像を生成することができる。
【００６０】
画像生成部１２２６は、ボリュームデータに対して視線方向に投影処理を行なう。具体的には、画像生成部１２２６は、ボリュームデータにおいて視線方向のすべての画素値を加算し、視線方向の画素値の総和を総和投影像として生成する。また、画像生成部１２２６は、ボリュームデータにおいて視線方向の最大の画素値を抽出し、最大の画素値を最大値投影像として生成する。
【００６１】
また、画像生成部１２２６は、ボリュームデータをレンダリングすることにより、３次元画像を生成することもできる。レンダリングとは、ボリュームデータを表示部１２４の画面に表示するために２次元に表現する処理である。レンダリングは、ボリュームデータの３次元座標から２次元座標への座標変換を行い、立体感を出すための陰影処理が行われる。レンダリングには、ボリュームレンダリング、サーフェースレンダリングなどがある。
【００６２】
図７は、画像生成部１２２６の構成を示す。画像生成部１２２６は、ボリュームデータから総和投影像を生成する総和投影像生成部７０１と、総和投影像生成部７０１に対して総和投影像に関するパラメータを設定する第一パラメータ設定部７０２と、ボリュームデータから最大値投影像を生成する最大値投影像生成部７０５と、最大値投影像生成部７０５に対して最大値投影像に関するパラメータを設定する第二パラメータ設定部７０６とを備えている。
【００６３】
なお、画像生成部１２２６は、図示はしないが、ボリュームデータをレンダリングして３次元画像を生成するレンダリング部、ボリュームデータにおいて視線方向の最小の画素値を抽出し、最小の画素値を最小値投影像として生成する最小値投影像生成部などを備えていてもよい。つまり、画像生成部１２２６は、複数の種類の３次元画像を生成することができればよい。
【００６４】
総和投影像生成部７０１は、総和投影法（Ｒａｙ  Ｓｕｍ法）を用いて総和投影像（レイサム像）を生成する。総和投影像生成部７０１は、ボリュームデータにおける視線方向の画素値の加算値（合計値）を投影像として生成する。総和投影像生成部７０１は、視線方向に対応する投影面（２次元座標）の画素に対応する座標を通るボリュームデータの画素値をすべて加算し、その加算値を投影面の座標の画素値とする。総和投影像生成部７０１は、投影面（２次元座標）の各座標において、同様の処理を行う。
【００６５】
第一パラメータ設定部７０２は、総和投影像生成部７０１で生成される総和投影像の視線方向を設定する。操作者は、視線方向（アキシャル方向、コロナル方向など）を任意に設定することができる。第一パラメータ設定部７０２が総和投影像の視線方向を設定した場合、第二パラメータ設定部７０６は、総和投影像の視線方向になるように最大値投影像の視線方向を設定する。つまり、総和投影像の視線方向と最大値投影像の視線方向は、同一方向となるように設定される。例えば、第一パラメータ設定部７０２によって総和投影像の視線方向をアキシャル方向と設定すれば、第二パラメータ設定部７０６は最大値投影像の視線方向をアキシャル方向と同期して設定する。第二パラメータ設定部７０６によって最大値投影像の視線方向をコロナル方向と設定すれば、第一パラメータ設定部７０２は総和投影像の視線方向をコロナル方向と同期して設定する。
【００６６】
また、第一パラメータ設定部７０２は、総和投影像生成部７０１で生成された総和投影像のウィンドウレベル、ウィンドウ幅を設定する。第一パラメータ設定部７０２によって、総和投影像のウィンドウレベル、ウィンドウ幅を設定することにより、総和投影像生成部７０１は総和投影像の階調処理の設定を行うことができる。ウィンドウレベルとウィンドウ幅は、総和投影像の画素値をどのような濃淡（輝度）に変換するかを設定するためのパラメータである。総和投影像の画素値は、例えば、０〜２５５のレベルの濃淡に変換される。ウィンドウレベルは画像変換する範囲の中心値（中央値）、ウィンドウ幅は画像変換する範囲の幅を表す値である。
【００６７】
図８は、第一パラメータ設定部７０２の設定画面である。表示部１２４には、総和投影像のウィンドウレベル、ウィンドウ幅を設定する設定画面が表示される。ここでは、総和投影像生成部７０１で生成された総和投影像における画素値の分布が表示される。表示部１２４は、総和投影像の画素値の分布をヒストグラムで表示する。操作者は、ヒストグラムのパターン（凹凸形状）から脂肪組織と乳腺／腫瘤組織の画素値の分布を推定することができる。
【００６８】
操作者は、総和投影像のヒストグラムに対応してウィンドウレベル、ウィンドウ幅を設定することができる。図８では、画素値の分布から脂肪組織と乳腺／腫瘤組織の分布を含むように、ウィンドウ幅が設定されている。乳腺／腫瘤組織の画素値を抽出したい場合、操作者は、乳腺／腫瘤組織の画素値の分布を含むように、第一パラメータ設定部７０２を介してウィンドウ幅を設定する。総和投影像生成部７０１は、脂肪組織の画素値を除き、乳腺／腫瘤組織の画素値を含む総和投影像を生成することができる。よって、操作者は、総和投影像から乳腺／腫瘤組織を確認することができる。つまり、第一パラメータ設定部７０２は、総和投影像に腫瘤組織が描出されるように総和投影像に関するパラメータを設定する。
【００６９】
また、図８では、脂肪組織と乳腺／腫瘤組織の画素値の間にウィンドウレベルが設定されている。乳腺／腫瘤組織の画素値を強調したい場合、操作者は、第一パラメータ設定部７０２を介して、乳腺／腫瘤組織の画素値の分布の中央にウィンドウレベルを設定する。総和投影像生成部７０１は、乳腺／腫瘤組織を強調して総和投影像を生成することができる。よって、操作者は、乳腺／腫瘤組織を総和投影像の濃淡（輝度）で確認することができる。
【００７０】
また、第一パラメータ設定部７０２は、総和投影法によって投影するボリュームデータの範囲（３次元領域）を設定することもできる。第一パラメータ設定部７０２は、乳腺／腫瘤組織とその周囲が含まれるように、総和投影法によって投影するボリュームデータの範囲を設定することもできる。
【００７１】
最大値投影像生成部７０５は、最大値投影法（ＭＩＰ法）を用いて最大値投影像（ＭＩＰ像）を生成する。最大値投影像生成部７０５は、視線方向に対応する投影面（２次元座標）の画素に対応する座標を通るボリュームデータの最大の画素値を選択し、その最大値を投影面の座標の画素値とする。最大値投影像生成部７０５は、投影面（２次元座標）の各座標において、同様の処理を行う。
【００７２】
第二パラメータ設定部７０６は、最大値投影像生成部７０５で生成された最大値投影像のウィンドウレベル、ウィンドウ幅を設定する。第一パラメータ設定部７０２と同様に、表示部１２４には、最大値投影像のウィンドウレベル、ウィンドウ幅を設定する設定画面が表示される。ウィンドウレベルとウィンドウ幅は、最大値投影像の画素値をどのような濃淡（輝度）に変換するかを設定するためのパラメータである。最大値投影像の画素値は、例えば、０〜２５５のレベルに変換される。ここでは、最大値投影像生成部７０５で生成された最大値投影像における画素値の分布を抽出される。表示部１２４は、最大値投影像の画素値の分布をヒストグラムで表示する。操作者は、最大値投影像のヒストグラムに対応してウィンドウレベル、ウィンドウ幅を設定することにより、最大値投影像生成部７０５は最大値投影像の階調処理を行うことができる。
【００７３】
また、第二パラメータ設定部７０６は、最大値投影法によって投影するボリュームデータの範囲（３次元領域）を設定することもできる。第一パラメータ設定部７０２と第二パラメータ設定部７０６は、総和投影法によって投影するボリュームデータの範囲と最大値投影法によって投影するボリュームデータの範囲とを異なるように設定することもできる。例えば、第一パラメータ設定部７０２と第二パラメータ設定部７０６は、総和投影法によって投影するボリュームデータの範囲を最大値投影法によって投影するボリュームデータの範囲よりも広く設定することもできる。
【００７４】
第二パラメータ設定部７０６は、ボリュームデータから石灰化組織を最大値投影像に描出するための画素値に関する閾値を設定することができる。最大値投影像生成部７０５は、石灰化組織の周辺の画素値が同心円状に広がるという特性を用いて、ボリュームデータから石灰化組織を最大値投影像に描出する。
【００７５】
図９は、最大値投影像において石灰化組織を描出するための閾値９０２を設定する設定画面を示している。閾値９０２は、破線で示されている。最大値投影画像における一方向（例えば、Ｘ方向）のプロファイル（分布）である。操作者は、第二パラメータ設定部７０６を介して、石灰化組織の画素値９００を含むように、閾値９０２を設定することができる。具体的には、第二パラメータ設定部７０６は、閾値９０２を上下方向に移動させる。閾値９０２は、石灰化組織の画素値の特性から予め設定されていてもよい。また、第二パラメータ設定部７０６は、最大値投影像の画素値の分布（ヒストグラム）において画素値の高い方から所定の割合（例えば、５０パーセント）にあたる画素値を閾値として設定してもよい。
【００７６】
このように、第二パラメータ設定部７０６は、最大値投影像において画像化する閾値９０２を設定する。最大値投影像生成部７０５は、視線方向に対応する投影面（２次元座標）の画素に対応する座標を通るボリュームデータの最大の画素値であり、且つ第二パラメータ設定部７０６によって設定された閾値以上の画素値を選択し、選択された画素値を投影面の座標の画素値とする。最大値投影像生成部７０５は、視線方向に対応する投影面（２次元座標）の画素に対応する座標を通るボリュームデータの最大の画素値であっても、第二パラメータ設定部７０６によって設定された閾値に満たない画素値を選択しない。最大値投影像生成部７０５は、第二パラメータ設定部７０６によって設定された閾値に満たない画素値の場合、当該投影面の座標は透明とする。よって、最大値投影像生成部７０５は、ボリュームデータから石灰化組織を最大値投影像に描出し、石灰化組織以外の組織は最大値投影像に描出しない。つまり、第二パラメータ設定部７０６は、最大値投影像に石灰化組織が描出されるように最大値投影像に関するパラメータを設定する。
【００７７】
合成部１２２８は、総和投影像生成部７０１で生成された総和投影像と最大値投影像生成部７０５で生成された最大値投影像を合成する。具体的には、合成部１２２８は、総和投影像に対して最大値投影像の領域（石灰化組織）を重畳する。総和投影像に対して最大値投影像の領域（石灰化組織）が重畳されることにより、最大値投影像の領域（石灰化組織）には、総和投影像が表示されない。つまり、総和投影像よりも最大値投影像が優先して表示されるため、操作者は、最大値投影像の領域（石灰化組織）を確認することができる。最大値投影像の領域（石灰化組織）とは、閾値を満たす画素値からなる画像である。総和投影像には、腫瘤組織と周辺組織の広範囲の領域が含まれる。最大値投影像には、石灰化組織の局所の領域が含まれる。そのため、合成画像には、総和投影像による腫瘤組織及びその周辺組織と、最大値投影像による微小の石灰化組織が表示されることになる。
【００７８】
具体的には、最大値投影像生成部７０５は、ボリュームデータにおいて画素値が相対的に高い位置を中心にして画素値の勾配を３次元に算出する。画素値の勾配は、石灰化組織の周辺の画素値が同心円状に広がる状況を把握するために用いられる。最大値投影像生成部７０５は、画素値が相対的に高い位置と画素値の勾配の情報から、石灰化組織を抽出する。画素値が相対的に高い位置の周囲において、画素値に緩やかな３次元の勾配があれば、石灰化組織として抽出される。画素値が相対的に高い位置の周囲において、画素値に緩やかな３次元の勾配がなければ、石灰化組織として抽出されない。
【００７９】
総和投影像生成部７０１は、視線方向に対応し、投影面（２次元座標）の画素に対応する座標を通るボリュームデータの全ての画素値を加算し、その加算値を投影面の座標の画素値とする。よって、総和投影像生成部７０１は、全ての画素値を用いて総和投影像を生成しているため、必ずしも画素値に基づき組織を抽出する必要がない。
【００８０】
以上、本発明の乳房撮影装置によれば、放射線検出部から出力される投影画像に基づくボリュームデータから、視線方向の画素値の加算値に基づいて総和投影像と、視線方向の最大の画素値に基づいて最大値投影像とを生成する画像生成部１２２６と、総和投影像と最大値投影像を合成する合成部１２２８とを備える。よって、操作者は、複数の種類の３次元画像（総和投影像と最大値投影像）からそれぞれの特定の組織（腫瘤組織と石灰化組織）を観察しやすくなる。
【００８１】
＜表示形態＞
図１０は、表示部１２４の一表示形態を示している。表示部１２４は、投影するボリュームデータの範囲（３次元領域）を設定するための画像５０１と、総和投影像と最大値投影像が合成された合成画像５１０を表示する。
【００８２】
図１０（ａ）は、乳房全体を示す画像５０１である。画像５０１は、ボディーマークを示す画像であっても、ボリュームデータに基づく３次元画像であってもよい。
【００８３】
図１０（ａ）に示される画像５０１は、投影像として投影するボリュームデータの範囲を設定するための画像である。図１０（ａ）に示される画像５０１には、腫瘤組織５０３が含まれているが、石灰化組織は含まれていない。そのため、合成画像５１０には、最大値投影像が含まれない。総和投影法によって投影するボリュームデータの範囲５０５は画像５０１に表示される。ここでは、ボリュームデータの範囲５０５は、最大値投影法によって投影するボリュームデータの範囲と同じである。操作者は、第一パラメータ設定部７０２を介して、総和投影法によって投影するボリュームデータの範囲５０５を設定し、第二パラメータ設定部７０６を介して、最大値投影法によって投影するボリュームデータの範囲５０５を設定する。
【００８４】
図１０（ｂ）は、ボリュームデータの範囲５０５において視線方向の画素値の加算値に基づいて生成された総和投影像と、ボリュームデータの範囲５０５において視線方向の最大の画素値に基づいて生成された最大値投影像との合成画像（重畳画像）５１０である。ここでは、ボリュームデータの範囲５０５に、腫瘤組織と石灰化組織が含まれていないため、合成画像には、腫瘤組織と石灰化組織が含まれない。なお、方向５００は、画像５０１の左右方向であり、合成画像５１０の奥行き方向である。
【００８５】
操作者は、第一パラメータ設定部７０２を介して、総和投影法によって投影するボリュームデータの範囲５０５を矢印方向（左右方向）に移動することができる。よって、総和投影像に腫瘤組織が含むように、ボリュームデータの範囲５０５を設定することができる。同様にして、第二パラメータ設定部７０６を介して、最大値投影法によって投影するボリュームデータの範囲５０５を矢印方向（左右方向）に移動することができる。
【００８６】
ボリュームデータの範囲５０５は、観察領域の奥行方向５００で移動可能である。また、ボリュームデータの範囲５０５の幅は、任意に設定可能である。薄いスライスで３次元画像が生成されると、腫瘤組織と乳腺の観察する際に有用である。また、単一のスライスではノイズ成分が多い場合でも複数のスライスを重ねて３次元画像を生成することによりノイズ低減を行うことができ、立体構造の認識に有用である。
【００８７】
また、３次元画像では腫瘤組織と乳腺の画素値が近似しているため、薄いスライスではその判別が困難である。しかし、腫瘤組織はその内部に脂肪を含まないことが通常であるため、一定の厚みで観察できる総和投影像では腫瘤組織と乳腺で画素値に差が発生する。ボリュームデータの範囲５０５を調整することにより、腫瘤組織と乳腺の判別が容易になることが期待できる。
【００８８】
図１１は、表示部１２４の一表示形態を示している。表示部１２４は、投影するボリュームデータの範囲（３次元領域）を設定するための画像５０１と、総和投影像と最大値投影像が合成された合成画像５１０を表示する。操作者は、第一パラメータ設定部７０２を介して、総和投影法によって投影するボリュームデータの範囲５０５を設定し、第二パラメータ設定部７０６を介して、最大値投影法によって投影するボリュームデータの範囲５０５を設定する。ここでは、合成画像５１０に腫瘤組織５０３を含むように、ボリュームデータの範囲５０５を設定している。
【００８９】
図１１（ｂ）は、ボリュームデータの範囲５０５において視線方向の画素値の加算値に基づいて生成された総和投影像と、ボリュームデータの範囲５０５において視線方向の最大の画素値に基づいて生成された最大値投影像との合成画像（重畳画像）５１０である。図１１（ａ）に示される画像５０１には、腫瘤組織５０３が含まれているが、石灰化組織は含まれていない。よって、合成画像５１０には腫瘤組織５０３ａが含まれる。合成画像５１０には、最大値投影像による石灰化組織が含まれない。
【００９０】
図１２は、表示部１２４の一表示形態を示している。表示部１２４は、投影するボリュームデータの範囲（３次元領域）を設定するための画像５０１と、総和投影像と最大値投影像が合成された合成画像５１０を表示する。操作者は、第一パラメータ設定部７０２を介して、総和投影法によって投影するボリュームデータの範囲５０５を設定し、第二パラメータ設定部７０６を介して、最大値投影法によって投影するボリュームデータの範囲５０５を設定する。ここでは、合成画像５１０に腫瘤組織５０３と石灰化組織５０４を含むように、ボリュームデータの範囲５０５を設定している。
【００９１】
図１２（ｂ）は、ボリュームデータの範囲５０５において視線方向の画素値の加算値に基づいて生成された総和投影像と、ボリュームデータの範囲５０５において視線方向の最大の画素値に基づいて生成された最大値投影像との合成画像（重畳画像）５１０である。ここでは、ボリュームデータの範囲５０５に総和投影像による腫瘤組織５０３と最大値投影像による石灰化組織５０４が含まれているため、合成画像５１０には腫瘤組織５０３ａと石灰化組織５０４ａが含まれる。
【００９２】
図１３は、表示部１２４の一表示形態を示している。表示部１２４は、投影するボリュームデータの範囲（３次元領域）を設定するための画像５０１と、総和投影像と最大値投影像が合成された合成画像５１０を表示する。操作者は、第一パラメータ設定部７０２を介して、総和投影法によって投影するボリュームデータの範囲５０５を設定し、第二パラメータ設定部７０６を介して、最大値投影法によって投影するボリュームデータの範囲５０７を設定する。ここでは、ボリュームデータの範囲５０５とボリュームデータの範囲５０７は、互いに独立して設定される。
【００９３】
操作者は、第一パラメータ設定部７０２を介して、総和投影法によって投影するボリュームデータの範囲５０５の位置と幅を設定することができる。ボリュームデータの範囲５０５の幅については、矢印５０５ａと矢印５０５ｂに示すように、設定することができる。
【００９４】
操作者は、第二パラメータ設定部７０６を介して、最大値投影法によって投影するボリュームデータの範囲５０７の位置と幅を設定することができる。ボリュームデータの範囲５０７は、画像５０１全体を覆うように設定される。つまり、ボリュームデータの範囲５０７は、ボリュームデータ全体に設定される。よって、ボリュームデータ全体における石灰化組織を最大値投影像に描出することができる。ボリュームデータの範囲５０７の幅については、矢印５０７ａと矢印５０７ｂに示すように、設定することができる。
【００９５】
なお、画像生成部１２２６は、ボリュームデータの範囲を設定するための画像５０１を解析して、ボリュームデータの範囲５０５及びボリュームデータの範囲５０７の位置と幅を設定することができる。画像生成部１２２６における抽出部（図示しない。）は、石灰化組織の周辺の画素値が同心円状に広がるという特性を用いて、３次元画像から石灰化組織を抽出する。
【００９６】
抽出部は、３次元画像で一定の閾値を用いて抽出する方法や、周辺画素を用いた局所的閾値を用いて抽出する方法や、石灰化組織の周辺部から中心部に向かって画素値が高くなる濃度勾配を利用したリング状のフィルタを使う手法等がある。
【００９７】
抽出部は、３次元画像における画素値を３次元に分析し、画素値が相対的に高い位置を特定する。そして、抽出部は、画素値が相対的に高い位置を中心にして画素値の勾配を３次元に算出する。画素値の勾配は、石灰化組織の周辺の画素値が同心円状に広がる状況を把握するために用いられる。抽出部は、画素値が相対的に高い位置と画素値の勾配の情報から、石灰化組織を抽出する。
【００９８】
一方、腫瘤組織は、周囲の組織に比べて画素値が相対的に高く、石灰化組織に比べて大きい組織である。抽出部は、３次元画像における画素値を３次元に分析し、腫瘤組織は所定の大きさがある（例えば、半径ａ以上）という特性を用いて、腫瘤組織を抽出する。抽出部は、周囲の組織に比べて画素値が相対的に高く、所定の大きさ（面積）を持つ領域を腫瘤組織として抽出する。
【００９９】
抽出部によって抽出された腫瘤組織と石灰化組織を投影できるように、第一パラメータ設定部７０２は、ボリュームデータの範囲５０５が腫瘤組織を含むように、ボリュームデータの範囲５０５の位置と幅を設定する。また、第二パラメータ設定部７０６は、ボリュームデータの範囲５０７が石灰化組織を含むように、ボリュームデータの範囲５０７の位置と幅を設定する。
【０１００】
図１３（ｂ）は、ボリュームデータの範囲５０５において視線方向の画素値の加算値に基づいて生成された総和投影像と、ボリュームデータの範囲５０５において視線方向の最大の画素値に基づいて生成された最大値投影像との合成画像（重畳画像）５１０である。ここでは、ボリュームデータの範囲５０５に総和投影像による腫瘤組織５０３が含まれ、ボリュームデータの範囲５０７に複数の石灰化組織５０４が含まれているため、合成画像５１０には腫瘤組織５０３ａと複数の石灰化組織５０４ａが含まれる。
【０１０１】
以上より、複数の種類の３次元画像を同一位置で重畳することにより、特徴の異なる構造、例えば腫瘤組織と石灰化組織において位置ずれを生じさせることなく、３次元画像を表示させることができる。
【０１０２】
なお、合成画像５１０においては、石灰化組織５０４の最大値投影像の画素値に該当する濃度を設定して、総和投影像に重畳してもよい。石灰化組織５０４の最大値投影像の画素値に該当する透過度を設定して、総和投影像に重畳してもよい。
【０１０３】
複数画像を重畳する際は単一の画像もしくは複数の画像に透明度を設定してもよい。例えば微小石灰化を示す最大値投影法の各画素の濃度を基に透明度を設定してもよいし、微小石灰化をここに抽出した場合にはその大きさ等をパラメータに透明度を設定してもよい。
【０１０４】
また、表示部１２４は、１つの乳房の３次元画像を表示しても、同時に撮影した被検者の左右の乳房の３次元画像を並べて比較表示してもよい。また、表示部１２４は、過去に撮影したり、他の被検者を撮影したりした同一部位の３次元画像と並べて比較表示してもよい。
【０１０５】
また、本発明の画像処理装置（画像処理部１２２）は、ボリュームデータにおいて、視線方向の画素値の加算値に基づいて総和投影像と、視線方向の最大の画素値に基づいて最大値投影像とを生成する画像生成部と、総和投影像と最大値投影像を合成する合成部と、合成画像を表示部１２４に表示させる表示制御部（図示しない。）とを備える。
【０１０６】
また、上記実施形態の機能を実現するコンピュータプログラムを、ネットワーク又は記憶媒体（図示しない。）を介してコンピュータに供給し、当該コンピュータプログラムを実行させることができる。つまり、コンピュータプログラムは、コンピュータで画像処理装置の機能を実現するためのプログラムである。記憶媒体は、当該コンピュータプログラムを記憶している。
【符号の説明】
【０１０７】
１０（１０ａ、１０ｂ）  放射線発生部
１２（１２ａ、１２ｂ）  放射線検出部
９０  操作卓
１１０  制御部
１２０  記憶部
１２２  画像処理部
１２４  表示部
７０１  総和投影像生成部
７０２  第一パラメータ設定部
７０５  最大値投影像生成部
７０６  第二パラメータ設定部
１２２２  画像補正部
１２２４  再構成部
１２２６  画像生成部
１２２８  合成部
【図１】
2019051238.tif 000003
【図２】
2019051238.tif 000004
【図３】
2019051238.tif 000005
【図４】
2019051238.tif 000006
【図５】
2019051238.tif 000007
【図６】
2019051238.tif 000008
【図７】
2019051238.tif 000009
【図８】
2019051238.tif 000010
【図９】
2019051238.tif 000011
【図１０】
2019051238.tif 000012
【図１１】
2019051238.tif 000013
【図１２】
2019051238.tif 000014
【図１３】
2019051238.tif 000015